(57)【特許請求の範囲】
【請求項１】
端子金具と当該端子金具を固定する固定部材とが収容され且つ相手方のコネクタと嵌合されるコネクタハウジングと、前記コネクタハウジングが収容されるケースと、を備えたコネクタにおいて、
前記ケースには、前記コネクタハウジングの前記相手方のコネクタから離れた側の端部側に立設され且つ当該コネクタハウジングの当該端部側に収容された前記固定部材と当接して前記端子金具が当該端子金具の長手方向に移動するのを規制する当接部材が設けられ、該当接部材には、該当接部材の端部側から、前記端子金具に接続された電線が挿通される、挿通スリットが設けられていることを特徴とするコネクタ。
【発明の詳細な説明】
【技術分野】
【０００１】
本発明は、部品点数を削減するとともに構造を単純化し、且つ、組み立てと分解とにかかる所要時間を短時間化したコネクタに関する。
【背景技術】
【０００２】
電動モータを用いて走行する電気自動車や、エンジンと電動モータとを併用して走行するハイブリッド自動車などには、前記電動モータの駆動源としての電源装置が搭載されている。
【０００３】
電源装置は、一端に正の電極と他端に負の電極とが設けられた複数の電池から構成される電池集合体を備え、所望の電圧を得るために前記複数の電池は直列に接続されている。これら複数の電池は、正の電極と負の電極とが互いに隣り合う状態で、一方向に沿って並べられている。
【０００４】
前述した電気自動車やハイブリッド自動車などには、前述した電池集合体に電気エネルギーを充電するために、車体に受電コネクタが設けられている。そして、前記受電コネクタと、充電器や家庭用電源などに接続された給電コネクタ（例えば、特許文献１参照）とが互いに嵌合され、前記電池集合体に充電される。
【０００５】
特許文献１に示された給電コネクタ１０１は、図８に示すように、図示しないケースに収容されるコネクタハウジング１０３と、前記コネクタハウジング１０３に収容される端子金具１２４と、前記端子金具１２４を前記コネクタハウジング１０３内に固定し且つ当該コネクタハウジング１０３に収容される固定部材としてのスリーブ部材１９２とリアパッキン１３３と、前記コネクタハウジング１０３の後端部１０３ａに嵌合して当該後端部１０３ａの開口を閉止し且つ前記固定部材としてのスリーブ部材１９２とリアパッキン１３３とが前記端子金具１２４の長手方向に移動するのを規制するリアホルダ１０５と、を備える。
【先行技術文献】
【特許文献】
【０００６】
【特許文献１】特開２０１０−５５８０９号公報
【発明の概要】
【発明が解決しようとする課題】
【０００７】
しかしながら、前記特許文献１に示された給電コネクタのコネクタハウジング１０３は、リアホルダ１０５によって、端子金具１２４とスリーブ部材１９２とリアパッキン１３３とを当該コネクタハウジング１０３内に保持しているため、前記コネクタハウジング１０３には前記リアホルダ１０５が欠かせない。このため、給電コネクタの部品点数が増加するという問題があった。
【０００８】
また、複数の端子金具１２４のそれぞれに接続された複数本の電線をリアホルダ１０５の所定の箇所に挿通させた後に、当該リアホルダ１０５をコネクタハウジング１０３の後端部１０３ａに嵌合させるため、構造が複雑化してコネクタの組み付けに手間がかかるという問題があった。
【０００９】
また、リアホルダ１０５がコネクタハウジング１０３の端部１０３ａに嵌合するため、メンテナンスや修理等でコネクタハウジング１０３の分解が必要な際に、リアホルダ１０５が容易には取り外せないため、コネクタハウジング１０３の分解に手間と時間とがかかるという問題があった。
【００１０】
また、コネクタハウジング１０３は、給電コネクタのケースに不適正な組付方向で組み付けないように十分に注意を払って組み立てられるため、給電コネクタの組立作業にかかる所要時間が長時間化するという問題があった。
【００１１】
本発明は、かかる問題を解決することを目的としている。即ち、本発明は、部品点数を削減するとともに構造を単純化し、且つ、組み立てと分解とにかかる所要時間を短時間化したコネクタを提供することを目的とする。
【課題を解決するための手段】
【００１２】
前記課題を解決し目的を達成するために、請求項１に記載された発明は、端子金具と当該端子金具を固定する固定部材とが収容され且つ相手方のコネクタと嵌合されるコネクタハウジングと、前記コネクタハウジングが収容されるケースと、を備えたコネクタにおいて、前記ケースには、前記コネクタハウジングの前記相手方のコネクタから離れた側の端部側に立設され且つ当該コネクタハウジングの当該端部側に収容された前記固定部材と当接して前記端子金具が当該端子金具の長手方向に移動するのを規制する当接部材が設けられ、該当接部材には、該当接部材の端部側から、前記端子金具に接続された電線が挿通される、挿通スリットが設けられていることを特徴とするコネクタである。
【発明の効果】
【００１４】
請求項１に記載された発明によれば、コネクタは、コネクタハウジングに収容された固定部材と当接する当接部材がケースに立設されているため、リアホルダ等の部品を削減することができ、コネクタの部品点数を削減することができる。
【００１５】
また、コネクタは、コネクタハウジングに収容された固定部材と当接する当接部材が、ケースに立設されているため、コネクタの構造を単純化できるとともに、当該コネクタの組み付けにかかる所要時間を短縮化できる。
【００１６】
また、コネクタは、コネクタハウジングの端部がリアホルダ等で閉止されずに開放されているため、給電コネクタのケースからコネクタハウジングを取り外すだけで、当該コネクタハウジングに収容された固定部材や端子金具などを取り出したり分解したりすることができる。このため、メンテナンスや修理等を容易に行うことができ、コネクタの分解にかかる時間を短縮化できる。
【００１７】
また、コネクタは、コネクタハウジングに収容された固定部材に当接する当接部材に、端子金具に接続された電線が挿通する挿通スリットが設けられているため、前記コネクタハウジングの端部から引き出された電線を前記挿通スリットに挿通させるだけで、前記コネクタハウジングの組付方向を位置決めすることができる。このため、コネクタの組立作業を容易に行うことができ、当該組立作業にかかる所要時間を短時間化することができる。
【００１８】
このように、本発明のコネクタは、部品点数を削減するとともに構造を単純化し、且つ、組み立てと分解とにかかる所要時間を短時間化することができる。
【図面の簡単な説明】
【００１９】
【図１】本発明の一実施形態にかかるコネクタの斜視図である。
【図２】図１に示すコネクタのＩＩ−ＩＩ矢視断面図である。
【図３】図１に示すコネクタのケースの内部構成の要部を示す斜視図である。
【図４】図１に示すコネクタの一方のケースの斜視図である。
【図５】図４に示す一方のケースの当接部材の斜視図である。
【図６】図３に示すコネクタのコネクタハウジングの分解斜視図である。
【図７】本発明にかかるコネクタの変形例の断面図である。
【図８】従来のコネクタのコネクタハウジングの断面図である。
【発明を実施するための形態】
【００２０】
以下、本発明の実施形態について、図１〜図６を参照して説明する。
【００２１】
本発明の一実施形態にかかるコネクタ１は、図１に示すように、相手方のコネクタに嵌合するコネクタハウジング３と、前記コネクタハウジング３を収容するケース２と、前記コネクタハウジング３の後述する端子金具２４（図２に示す）に接続され且つ前記ケース２内に配された電線７１と、を備えている。
【００２２】
コネクタハウジング３は、図１および図２に示すように、ポリブチレンテレフタレート樹脂などの絶縁性の合成樹脂からなり、円筒形状に形成されている。コネクタハウジング３は、複数本（図示例では、５本）の端子金具２４と、前記複数本の端子金具２４のそれぞれを一本毎に収容した複数の端子金具収容部２１と、前記複数の端子金具収容部２１が立設された開口部１８と、前記相手方のコネクタとの位置決めをする突条部１７と、前記ケース２に係合する環状突起８と、前記開口部１８の内周面の周方向に延在され且つ前記相手方のコネクタと嵌合した際に当該相手方コネクタと前記コネクタハウジング３との隙間を塞ぐパッキン部材２２と、を備えている。
【００２３】
端子金具２４は、図２および図６に示すように、銅や銅合金あるいはアルミニウムやアルミニウム合金などの導電性の金属から構成され、円筒状に形成されている。端子金具２４は、前記相手方のコネクタの端子金具と電気的に接触する電気接触部２５と、前記電線７１が接続する電線接続部２６と、水の浸入を防止するセンタパッキン３１と、を備えている。
【００２４】
電気接触部２５は、開口部１８側の一端から中央部分に亘って前記端子金具２４の長手方向に沿って設けられた複数本（図示例では、４本）のスリット２５ａと、前記開口部１８側の一端に設けられたリブ２５ｂと、を備えている。電気接触部２５は、先端に向かって僅かに縮径して形成されている。これにより、相手方のコネクタの雄型端子金具が電気接触部２５内に嵌入される際には、前記雄型端子金具の先端が電気接触部２５の先端部に当接して当該電気接触部２５を拡開するため、前記雄型端子金具の表面を押圧する電気接触部２５の押圧力が向上して確実に電気接触がなされる。また、前記雄型端子金具が電気接触部２５内から引き抜かれた際には、弾性回復力によって前記電気接触部２５が縮径して変形前の形状に戻る。そして、これらの嵌入と引き抜きとを繰り返しても電気接触の性能を維持できる。
【００２５】
電線接続部２６は、円筒状に形成されている。電線接続部２６は、前記電線接続部２６内に電線７１の芯線７１ａを挿入した状態で当該電線接続部２６が加締められて当該芯線７１ａが接続されている。電線接続部２６は、圧着工具など一般的な工具によって加締められる。電線接続部２６には、当該電線接続部２６が挿通し且つ後述する第二収容部２１ｂの内壁に摺接する固定部材としてのスリーブ部材２９とリアパッキン３３とが設けられている。
【００２６】
固定部材としてのスリーブ部材２９は、横断面略Ｃ字形状の筒状に形成されている。スリーブ部材２９は、電線接続部２６の外形と電線７１の外形とに沿って形成された内周面と、前記第二収容部２１ｂの内周面に沿って形成された外周面と、スリーブ部材２９の一端から他端に亘って当該スリーブ部材２９の長手方向に平行するスリット２９ｂと、を備えている。スリット２９ｂは、前記電線接続部２６の直径および電線７１の線径と略同一幅に形成されている。このため、電線７１の芯線７１ａが加締めて接続された電線接続部２６にスリーブ部材２９を容易に取り付けることができる。
【００２７】
固定部材としてのリアパッキン３３は、円筒状に形成され、内周面が前記電線７１の外形に沿って形成されるとともに、外周面が前記第二収容部２１ｂの内周面に沿って形成されている。リアパッキン３３は、一例として、シリコーンゴムやエチレンプロピレンゴムなどの電気特性に優れた合成ゴムから構成されている。リアパッキン３３は、パッキン本体３２と、当該パッキン本体３２の外周面に設けられ且つ周面方向に延在された複数の環状突条部３２ａと、前記パッキン本体３２の内周面と外周面との間の同心円上に設けられ且つ当該パッキン本体３２と一体的に形成された芯部材３５と、を備えている。環状突条部３２ａは、前記端子金具２４の長手方向に互いに間隔を空けて設けられている。芯部材３５は、一例として、ポリブチレンテレフタレート樹脂などの硬質樹脂から構成されている。
【００２８】
センタパッキン３１は、環状に形成され、シリコーンゴムやエチレンプロピレンゴムなどの電気特性に優れた合成ゴムから構成されている。センタパッキン３１は、前記端子金具２４の中間部に設けられた一対のリブ２８の間に嵌着されている。
【００２９】
端子金具収容部２１は、前記電気接触部２５が収容される第一収容部２１ａと、前記電線接続部２６が収容される第二収容部２１ｂと、を備えている。端子金具収容部２１は、前記相手方のコネクタから離れた側の端部３ａ側と前記開口部１８とに連通して形成されている。端子金具収容部２１は、前記端子金具２４の外形に沿って形成されている。
【００３０】
第一収容部２１ａは、前記端子金具２４の電気接触部２５の外形に沿って円筒状に形成されている。第一収容部２１ａの先端部には、前記相手方のコネクタの雄型端子金具が挿通する挿通孔２１ｃが設けられている。これにより、端子金具２４の電気接触部２５が不用意に接触して変形したり汚れが付着したりすることから保護される。
【００３１】
第二収容部２１ｂは、図２および図３に示すように、前記端子金具２４の電線接続部２６に設けられたセンタパッキン３１が摺接する直径の円筒形状に形成されている。第二収容部２１ｂは、前記コネクタハウジング３の前記端部３ａ側に連通して形成されている。第二収容部２１ｂの一端部と、前記端部３ａの一端部とは、略同一平面上とされて形成されている。
【００３２】
開口部１８は、図１および図６に示すように、前記コネクタハウジング３の長手方向に対して傾斜して形成されている。開口部１８には、相手方のコネクタの雄型端子金具が電気接触するように当該雄型端子金具の配置に応じて、端子金具収容部２１が対向配置されている。開口部１８は、前記端子金具収容部２１の先端よりも僅かに突出して形成されている。
【００３３】
突条部１７は、前記コネクタハウジング３の開口部１８の外周面から前記環状突起８に亘って設けられている。突条部１７は、相手方のコネクタに設けられた凹溝内を滑動可能に形成されている。
【００３４】
環状突起８は、図２に示すように、ケース７（２）の一端に設けられた環状溝部９に係合される突出量と幅とに形成されている。このため、環状突起８と前記環状溝部９とが係合して、前記コネクタハウジング３が前記ケース７に固定される。
【００３５】
パッキン部材２２は、一例として、機械的強度と耐摩耗性とに優れたウレタンゴムなどの合成ゴムから構成されている。パッキン部材２２は、図２に示すように、前記開口部１８の内周面に設けられた取付溝内に配されている。パッキン部材２２は、その内周面の中央部が僅かに縮径され且つ相手方のコネクタの外周面に摺接されるように形成されている。
【００３６】
ケース２は、図１に示すように、一対のケース部材６，７からなり、一方のケース部材６と他方のケース部材７とが図示しないネジ部材などの固定手段によって固定されている。ケース２は、一例として、ポリブチレンテレフタレート樹脂などの電気的特性と難燃性とに優れた合成樹脂からなる。ケース２は、図１、図３および図４に示すように、相手方のコネクタとの係合が解除可能に形成されたロックレバー１４と、前記ロックレバー１４を軸支する軸受部４６と、前記ロックレバー１４を操作するための窓部１１と、前記コネクタハウジング３を収容する収容室４３と、前記収容室４３に収容された前記コネクタハウジング３が突出されるコネクタ開口部１２と、前記収容室４３に収容された前記コネクタハウジング３の端部３ａ側に当接する当接部材４１と、作業者が握るグリップ部１０と、電線７１が前記ケース２から導出される電線導出部６１と、前記電線導出部６１から導出された電線７１の屈曲を防止する電線保護部６２と、を備えている。
【００３７】
ロックレバー１４は、図３に示すように、前記ケース２のコネクタ開口部１２から突出されるロック部１４ａと、前記ケース２の窓部１１から僅かに突出されるボタン部１４ｂと、前記ケース２に設けられた軸受部４６に軸支される軸部と、前記軸部と前記ボタン部１４ｂとの間に設けられ且つ当該ボタン部１４ｂを前記窓部１１側に向かって付勢する発条部材４５と、を備え、前記ボタン部１４ｂを作業者が手指等で押し込んだり離したりすることで、前記ロック部１４ａと前記ボタン部１４ｂとが交互に上下運動するように形成されている。
【００３８】
ロック部１４ａは、前記コネクタハウジング３の開口部１８側の一端の近傍にまで延長して形成されている。ロック部１４ａは、図１および図４に示すように、ケース２の開口部１８から延長された延長部６ａ，６ｂによって外部から保護されている。ロック部１４ａの先端部は、当該ロック部１４ａの先端から前記ボタン部１４ｂに向かって次第に突出量が増加する鏃状に形成されている。ボタン部１４ｂは、前記窓部１１の周縁部に沿った四角形状に突出して形成されている。
【００３９】
収容室４３は、図４に示すように、当該収容室４３に収容されるコネクタハウジング３の長手方向の一方側に開口部１２が設けられているとともに、前記コネクタハウジング３の長手方向の他方側に当接部材４１が設けられている。収容室４３は、前記コネクタハウジング３の外形に沿って円筒状に形成されている。
【００４０】
当接部材４１は、図５に示すように、複数（図示例では、４つ）の当接部材４１がケース部材７から立設されている。複数の当接部材４１は、図３および図５に示すように、前記コネクタハウジング３の長手方向に直交する方向に互いに間隔を空けて設けられている。複数の当接部材４１同士の間には、前記コネクタハウジング３の端部３ａから導出された電線７１が挿通する複数（図示例では、３つ）の挿通スリット４２が設けられている。当接部材４１は、図３に示すように、前記コネクタハウジング３を前記収容室４３に収容した際に、当該コネクタハウジング３の端部３ａ側の固定部材としての前記リアパッキン３３と当接する位置に立設されている。なお、当接部材４１は、ケース部材６側から立設させても良い。
【００４１】
複数の挿通スリット４２は、図３および図５に示すように、前記収容室４３に前記コネクタハウジング３を収容した際に、当該コネクタハウジング３の端部３ａ側から導出される複数本の所定の電線７１のそれぞれの線径と導出位置とに応じて、所定のスリット幅で所定の位置に設けられている。
【００４２】
なお、本発明でいう、複数の挿通スリット４２のそれぞれが所定のスリット幅で所定の位置に設けられているとは、複数の端子金具２４と当該複数の端子金具のそれぞれに接続された複数本の電線７１とが組み付けられたコネクタハウジング３を、適正な組付方向で収容室４３に収容した際に、前記コネクタハウジング３の端部３ａ側から等出された複数本の電線７１のそれぞれに対応する複数の挿通スリット４２のそれぞれの相対的な位置が、設計上の位置とされていることをいう。このため、コネクタハウジング３を、当該コネクタハウジング３の端部３ａ側から導出された複数本の電線７１が当接部材４１の複数の挿通スリット４２のそれぞれに挿通される位置に合わせるだけで、適正な組付方向に前記コネクタハウジング３が収容室４３に収容できる。
【００４３】
グリップ部１０には、図１に示すように、前記ケース２の外周面を膨出させて形成された複数段（図示例では、３段）の段部１０ａが設けられている。段部１０ａは、図４に示すように、厚肉に形成されている。
【００４４】
電線導出部６１は、図１に示すように、一対のケース部材６，７に狭持されてケース２に固定されている。電線導出部６１は、一例として、ポリ塩化ビニル樹脂などの絶縁性と難燃性とに優れた合成樹脂から構成されている。
【００４５】
電線保護部６２は、ポリ塩化ビニル樹脂などの絶縁性と難燃性とに優れた合資樹脂からなり、前記電線導出部６１と電線７１とに一体的に形成されている。電線保護部６２は、可撓性を有して形成されている。このため、電線７１が電線保護部６２の近傍で屈曲された際に、当該電線保護部６２が弾性変形して前記電線７１の局所的な屈曲を防止する。
【００４６】
電線７１は、図２に示すように、導電性の芯線７１ａと、絶縁性の被覆部７１ｂとを備えている。芯線７１ａは、複数本の導線が撚られて形成されている。導線は、銅や銅合金などの導電性の金属からなる。被覆部７１ｂは、前記芯線７１ａを被覆しており、ポリ塩化ビニル樹脂などの合成樹脂からなる。このため、電線７１の外表面は、前記被覆部７１ｂの外表面となっている。なお、芯線は、一本の導線から構成されても良い。電線７１は、電力供給用電線と信号用電線とを備えている。なお、電線７１は、電力供給用電線と信号用電線とを絶縁体で被覆し、当該絶縁体をシースで保護したキャブタイヤケーブルとしても良い。
【００４７】
信号用電線は、例えば、電気自動車やハイブリッド電気自動車などと充電スタンド等との接続状態や充電状況等の信号の通信に使用される。
【００４８】
次に、前述のように構成されたコネクタ１の組立作業について説明する。
【００４９】
先ずは、図６に示すように、端子金具２４の電線接続部２６に図示しない電線７１の芯線７１ａを加締めて接続し、前記端子金具２４の中央部の一対のリブ２８同士の間にセンタパッキン３１を嵌着し、前記電線接続部２６の前記リブ２８側にスリーブ部材２９を装着し、前記電線接続部２６の自由端側にリアパッキン３３を押し込む。続いて、電線７１とセンタパッキン３１とスリーブ部材２９とリアパッキン３３とが設けられた端子金具２４を、コネクタハウジング３の端子金具収容部２１の第二収容部２１ｂ内に挿入し、当該第二収容部２１ｂに連通する第一収容部２１ａに前記端子金具２４の電気接触部２５が配されるまで押し込む。同様にして、他の端子金具収容部２１内にも端子金具２４を組み付け、開口部１８側にパッキン部材２２を嵌め込む。
【００５０】
続いて、図３に示すように、端子金具２４が組み付けられたコネクタハウジング３を、ケース部材７の収容室４３に収容する。このとき、コネクタハウジング３の端部３ａから導出された電線７１を、太径の電力用電線と細径の信号用電線とに応じてスリット幅が形成され且つそれぞれの電線７１の配線位置に応じた位置に設けられたそれぞれの挿通スリット４２ａ，４２ｂ，４２ｃに挿通する。これにより、それぞれの電線７１をそれぞれの挿通スリット４２ａ，４２ｂ，４２ｃに挿通したコネクタハウジング３は、適正な組付方向でケース部材７に組み付けられる。また、このとき、図２に示すように、複数の端子金具２４を固定する固定部材としての複数のリアパッキン３３のそれぞれに複数の当接部材４１が当接し、前記端子金具２４がコネクタハウジング３の端部３ａ側に移動するのを規制する。
【００５１】
続いて、ロックレバー１４と、前記ロックレバー１４を付勢する発条部材４５と、電線導出部６１と、その他の図示しない部品を前記ケース部材７のそれぞれの所定位置に組み付け、ケース部材６によって当該ケース部材７を閉止する。続いて、図示しないネジ部材などの固定手段によって一対のケース部材６，７を固定し、コネクタ１を組み立てる。
【００５２】
このようにして組み立てられたコネクタ１は、電気自動車やハイブリッド電気自動車等の車両の充電コネクタとして使用され、前記車両とコネクタ１とが互いに通信し、車両側から充電開始の信号が発信されてから通電するようになっている。なお、コネクタ１は、前述した充電コネクタに限定されるものではなく、相手方のコネクタと接続されるコネクタとして種々の用途に使用することができる。
【００５３】
次に、コネクタ１を分解する分解作業について説明する。
【００５４】
先ずは、コネクタ１のネジ部材等の固定手段を取り除き、ケース部材６を取り外してケース部材７を開放する。続いて、ロックレバー１４、発条部材４５、電線導出部６１およびその他の部品を取り外す。
【００５５】
続いて、コネクタハウジング３をケース部材７の収容室４３から取り外す。このとき、当接部材４１の各スリット４２ａ，４２ｂ，４２ｃがコネクタハウジング３の組付方向に対して平行に形成されているため、当該コネクタハウジング３の取り外しに伴って複数本の電線７１が各スリット４２ａ，４２ｂ，４２ｃを挿通して引き抜かれる。
【００５６】
続いて、収容室４３から取り外されたコネクタハウジング３の第二収容部２１ｂに挿入された固定部材としてのリアパッキン３３を引き抜く。続いて、コネクタハウジング３の端部３ａから離間し且つ端子金具２４の長手方向に平行する方向に電線７１を引張り、端子金具２４をコネクタハウジング３から取り出す。
【００５７】
このように、コネクタ１は、リアホルダ等の部材を取り外すことなく、コネクタハウジング３からリアパッキン３３や端子金具２４などを容易に取り出して分解することができる。
【００５８】
本実施形態によれば、コネクタ１は、端子金具２４と当該端子金具２４を固定する固定部材３３とが収容され且つ相手方のコネクタと嵌合されるコネクタハウジング３と、前記コネクタハウジング３が収容されるケース２と、を備えており、前記ケース２には、前記コネクタハウジング３の前記相手方のコネクタから離れた側の端部３ａ側に立設され且つ当該コネクタハウジング３の当該端部３ａ側に収容された前記固定部材３３と当接して前記端子金具２４が当該端子金具２４の長手方向に移動するのを規制する当接部材４１が設けられている。
【００５９】
このため、コネクタ１は、コネクタハウジング３に収容された固定部材３３と当接する当接部材４１がケース２に立設されているため、リアホルダ等の部品を削減することができ、コネクタ１の部品点数を削減することができる。
【００６０】
また、コネクタ１は、コネクタハウジング３に収容された固定部材３３と当接する当接部材４１が、ケース２に立設されているため、コネクタ１の構造を単純化できるとともに、当該コネクタ１の組み付けにかかる所要時間を短縮化できる。
【００６１】
また、コネクタ１は、コネクタハウジング３の端部３ａがリアホルダ等で閉止されずに開放されているため、ケース２からコネクタハウジング３を取り外すだけで、当該コネクタハウジング３に収容された固定部材３３や端子金具２４などを取り出したり分解したりすることができる。このため、メンテナンスや修理等を容易に行うことができ、コネクタ１の分解にかかる時間を短縮化できる。
【００６２】
さらに、本実施形態によれば、コネクタ１は、前記当接部材４１には、前記端子金具２４に接続された電線７１が挿通される挿通スリット４２が設けられているため、前記コネクタハウジング３の端部３ａから引き出された電線７１を前記挿通スリット４２に挿通させるだけで、前記コネクタハウジング３の組付方向を位置決めすることができる。このため、コネクタ１の組立作業を容易に行うことができ、当該組立作業にかかる所要時間を短時間化することができる。
【００６３】
このように、本発明のコネクタ１は、部品点数を削減するとともに構造を単純化し、且つ、組み立てと分解とにかかる所要時間を短時間化することができる。
【００６４】
次に、本発明にかかるコネクタ１の変形例について、図７を参照して説明する。なお、前述した実施形態と同一部分には、同一の符号を付して説明を省略する。
【００６５】
本変形例におけるコネクタ１は、図７に示すように、端子金具２４の電線接続部２６に設けられるスリーブ部材２９には、当該スリーブ部材２９の長手方向の一端から当該長手方向に沿って延長された延長部２９ａが設けられている。延長部２９ａには、リアパッキン３３が一体的に設けられている。延長部２９ａは、前記リアパッキン３３の前記端子金具２４の長手方向の幅と同じ長さに形成され、前記リアパッキン３３と延長部２９ａとが当接部材４１に当接している。これにより、当接部材４１によって、コネクタハウジング３に収容される端子金具２４などの各種部材を当該コネクタハウジング３内により一層確実に保持することができる。
【００６６】
なお、前述した実施形態および変形例は本発明の代表的な形態を示したに過ぎず、本発明は、実施形態に限定されるものではない。即ち、本発明の骨子を逸脱しない範囲で種々変形して実施することができる。
【符号の説明】
【００６７】
１  コネクタ
２  ケース
３  コネクタハウジング
３ａ  端部
６，７  一対のケース部材
２１  端子金具収容部
２１ａ  第一収容部
２１ｂ  第二収容部
２４  端子金具
２５  電気接触部
２６  電線接続部
３２  パッキン本体
３３  リアパッキン（固定部材）
４１  当接部材
４２，４２ａ，４２ｂ，４２ｃ  挿通スリット
４３  収容室
７１  電線
【図１】
0005763427.tif 000002
【図２】
0005763427.tif 000003
【図３】
0005763427.tif 000004
【図４】
0005763427.tif 000005
【図５】
0005763427.tif 000006
【図６】
0005763427.tif 000007
【図７】
0005763427.tif 000008
【図８】
0005763427.tif 000009